(57)【要約】【課題】淹れる杯数が異なっても最適にコーヒー液を抽出することができるコーヒーメーカーを提供すること。【解決手段】コーヒーメーカー本体２と、サーバー３の上方に配置されるドリッパー手段４とを有し、前記コーヒーメーカー本体２に設けられた注湯手段８により前記ドリッパー手段４の上方から湯を注ぐことで、このドリッパー手段４内のコーヒー粉からコーヒー液を抽出するコーヒーメーカー１であって、前記ドリッパー手段４が前記サーバー３上に載置され、小杯数用の第一ドリッパー１１と大杯数用の第二ドリッパー１２とを有し、各ドリッパー１１，１２がそれぞれ抽出部１３，１６を有し、前記第一ドリッパー１１が高さ調整部１４を有することで、前記第一ドリッパー１１を用いる場合の前記注湯手段８から第一ドリッパー１１までの距離を適正にして、小杯数のコーヒー抽出を大杯数のコーヒー抽出と同様に良好に行うことができる。【選択図】図１
2020182666.tif 000002
【特許請求の範囲】
【請求項１】
コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、
前記ドリッパー手段が前記コーヒーメーカー本体又はサーバー上に載置され、少なくとも小杯数用の第一ドリッパーと大杯数用の第二ドリッパーとを有し、各ドリッパーがそれぞれ抽出部を有すると共に、前記第一ドリッパーが前記抽出部の高さ調整部を有することを特徴とするコーヒーメーカー。
【請求項２】
コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、
前記ドリッパー手段が、少なくとも小杯数用の第一ドリッパーと大杯数用の第二ドリッパーと、これらの第一ドリッパーと第二ドリッパーを支持する支持手段とを有し、各ドリッパーがそれぞれ、抽出部と、前記支持手段に載置するための掛部とを有すると共に、前記支持手段が、前記コーヒーメーカー本体又はサーバー上に載置するための載置部と、この載置部から上方に伸びると共に前記掛部を掛けるための支持部とを有することを特徴とするコーヒーメーカー。
【請求項３】
前記第一ドリッパー又は第二ドリッパーが前記コーヒーメーカー本体又はサーバー上に載置された際に、前記注湯手段から前記第一ドリッパーの抽出部までの上下方向距離と前記注湯手段から第二ドリッパーの抽出部までの上下方向距離が等しくなることを特徴とする請求項１又は２記載のコーヒーメーカー。
【請求項４】
コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、
前記ドリッパー手段が前記コーヒーメーカー本体又はサーバー上に載置され、少なくとも小杯数用の第一ドリッパーと大杯数用の第二ドリッパーとを有し、各ドリッパーがそれぞれ抽出部を有すると共に、前記コーヒーメーカー本体が前記ドリッパー手段の高さ調整手段を有することを特徴とするコーヒーメーカー。
【請求項５】
コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、
前記ドリッパー手段が前記コーヒーメーカー本体又はサーバー上に載置され、少なくとも小杯数用の第一ドリッパーと大杯数用の第二ドリッパーとを有し、各ドリッパーがそれぞれ抽出部を有すると共に、前記コーヒーメーカー本体が前記注湯手段の高さ調整手段を有することを特徴とするコーヒーメーカー。
【請求項６】
前記第一ドリッパー又は第二ドリッパーが前記コーヒーメーカー本体又はサーバー上に載置された際に、前記注湯手段から前記第一ドリッパーの抽出部までの上下方向距離と前記注湯手段から第二ドリッパーの抽出部までの上下方向距離が等しくなるように、前記高さ調整手段により調整されることを特徴とする請求項４又は５記載のコーヒーメーカー。
【請求項７】
コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、
前記ドリッパー手段が、ドリッパーと、このドリッパーの抽出部の上端部から上方に延長される着脱可能なアタッチメントとを有し、前記ドリッパーが、前記抽出部と、前記コーヒーメーカー本体又はサーバー上に載置するための第一載置部とを有し、前記アタッチメントが、前記抽出部を上方に延長する延長部と、この延長部の上端部又は下端部から側方に伸びる第二載置部と、前記延長部の下端部又は上端部に設けられる係合部とを有すると共に、前記係合部と択一的に係合する係合受部を前記抽出部の上部及び前記第一載置部の下部に設けることを特徴とするコーヒーメーカー。
【請求項８】
前記第一載置部が前記コーヒーメーカー本体又はサーバー上に載置された場合における前記注湯手段から前記アタッチメントの延長部までの上下方向距離が、前記第二載置部が前記コーヒーメーカー本体又はサーバー上に載置された場合における前記注湯手段から前記ドリッパーの抽出部までの上下方向距離と等しくなることを特徴とする請求項７記載のコーヒーメーカー。
【請求項９】
コーヒーメーカー本体と、サーバー手段と、このサーバー手段上に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、
前記サーバー手段が、少なくとも小杯数用の第一サーバーと大杯数用の第二サーバーを有し、前記ドリッパー手段が、少なくとも小杯数用の第一ドリッパーと大杯数用の第二ドリッパーとを有し、各ドリッパーがそれぞれ抽出部を有し、前記第一ドリッパーが前記第一サーバー上に載置するための第一載置部を有し、前記第二ドリッパーが前記第二サーバー上に載置するための第二載置部を有すると共に、前記第一サーバーの高さが第二サーバーの高さよりも高いことを特徴とするコーヒーメーカー。
【請求項１０】
前記第一ドリッパーが第一サーバーに載置された状態における前記注湯手段から前記第一ドリッパーまでの距離と、前記第二ドリッパーが第二サーバーに載置された状態における前記注湯手段から前記第二ドリッパーまでの距離とが等しくなることを特徴とする請求項９記載のコーヒーメーカー。
【発明の詳細な説明】
【技術分野】
【０００１】
本発明は、ドリップ式のコーヒーメーカーに関するものであり、特に、淹れることのできる杯数の範囲が広いコーヒーメーカーに関するものである。
【背景技術】
【０００２】
従来、この種のコーヒーメーカーとしては、筐体（本願発明のコーヒーメーカー本体に相当する）と、ガラス容器（本願発明のサーバーに相当する）と、前記ガラス容器上に配置される濾過室（本願発明のドリッパー手段に相当する）と、前記筐体に設けられた吐水チューブ及び浄水装置（本願発明の注湯手段に相当する）を有し、前記吐水チューブから前記浄水装置を経て前記濾過室に湯を注ぐことで、この濾過室内のコーヒー粉からコーヒー液を抽出するものが知られている（例えば、特許文献１参照。）。このようなコーヒーメーカーは、淹れる杯数に応じた量の水を水タンクに入れることで、抽出可能な杯数の範囲内で任意の量のコーヒー液を淹れることができる。
【先行技術文献】
【特許文献】
【０００３】
【特許文献１】特許第３０６３６０４号公報
【発明の概要】
【発明が解決しようとする課題】
【０００４】
しかしながら、このようなコーヒーメーカー、特に淹れることができる杯数の範囲が広い（例えば１杯から６杯まで、等）コーヒーメーカーの場合、淹れる杯数が抽出範囲の両端付近である場合、上手く抽出できないという傾向があった。例えば、上述のような１杯から６杯まで淹れられるコーヒーメーカーの場合、最大６杯が淹れられる大きさのドリッパー手段にしなければならないが、このようなドリッパー手段を用いると、１杯分を上手く淹れられない虞があった。逆に小杯数に合わせてドリッパー手段を小さくすると、小さなドリッパー手段に最大６杯分のコーヒー粉が入れられるので、６杯分を上手く淹れられない虞もあった。
【０００５】
手動でコーヒーを淹れる場合、淹れる杯数に応じて大きさの異なるドリッパー手段を用いるのが一般的である。このため、コーヒーメーカーにおいても、大きさの異なるドリッパーを複数用意し、淹れる杯数に応じてドリッパーを使い分けることも考えられる。しかしながら、コーヒーメーカーにおいて大きさの異なる複数のドリッパーを使い分けると、コーヒーメーカー本体の注湯手段からドリッパー手段までの距離が変わってしまう。このため、ドリッパー手段内のコーヒー粉の適切な位置に湯を落下させることができなかったり、落下する湯の温度が高すぎたり低すぎたりすることで、コーヒー液を最適に抽出することができない虞があった。また、コーヒーミルを有する形式のコーヒーメーカーの場合、コーヒーメーカー本体からドリッパー手段までの距離が大きくなると、コーヒー粉がドリッパー手段外に溢れやすくなる虞もあった。
【０００６】
本発明は以上の問題点を解決し、淹れる杯数が異なっても最適にコーヒー液を抽出することができるコーヒーメーカーを提供することを目的とする。
【課題を解決するための手段】
【０００７】
本発明の請求項１に記載のコーヒーメーカーは、コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、前記ドリッパー手段が前記コーヒーメーカー本体又はサーバー上に載置され、少なくとも小杯数用の第一ドリッパーと大杯数用の第二ドリッパーとを有し、各ドリッパーがそれぞれ抽出部を有すると共に、前記第一ドリッパーが前記抽出部の高さ調整部を有するものである。
【０００８】
また、本発明の請求項２に記載のコーヒーメーカーは、コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、前記ドリッパー手段が、少なくとも小杯数用の第一ドリッパーと大杯数用の第二ドリッパーと、これらの第一ドリッパーと第二ドリッパーを支持する支持手段とを有し、各ドリッパーがそれぞれ、抽出部と、前記支持手段に載置するための掛部とを有すると共に、前記支持手段が、前記コーヒーメーカー本体又はサーバー上に載置するための載置部と、この載置部から上方に伸びると共に前記掛部を掛けるための支持部とを有するものである。
【０００９】
また、本発明の請求項３に記載のコーヒーメーカーは、請求項１又は２において、前記第一ドリッパー又は第二ドリッパーが前記コーヒーメーカー本体又はサーバー上に載置された際に、前記注湯手段から前記第一ドリッパーの抽出部までの上下方向距離と前記注湯手段から第二ドリッパーの抽出部までの上下方向距離が等しくなるものである。
【００１０】
また、本発明の請求項４に記載のコーヒーメーカーは、コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、前記ドリッパー手段が前記コーヒーメーカー本体又はサーバー上に載置され、少なくとも小杯数用の第一ドリッパーと大杯数用の第二ドリッパーとを有し、各ドリッパーがそれぞれ抽出部を有すると共に、前記コーヒーメーカー本体が前記ドリッパー手段の高さ調整手段を有するものである。
【００１１】
また、本発明の請求項５に記載のコーヒーメーカーは、コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、前記ドリッパー手段が前記コーヒーメーカー本体又はサーバー上に載置され、少なくとも小杯数用の第一ドリッパーと大杯数用の第二ドリッパーとを有し、各ドリッパーがそれぞれ抽出部を有すると共に、前記コーヒーメーカー本体が前記注湯手段の高さ調整手段を有するものである。
【００１２】
また、本発明の請求項６に記載のコーヒーメーカーは、請求項４又は５において、前記第一ドリッパー又は第二ドリッパーが前記コーヒーメーカー本体又はサーバー上に載置された際に、前記注湯手段から前記第一ドリッパーの抽出部までの上下方向距離と前記注湯手段から第二ドリッパーの抽出部までの上下方向距離が等しくなるように、前記高さ調整手段により調整されるものである。
【００１３】
また、本発明の請求項７に記載のコーヒーメーカーは、コーヒーメーカー本体と、サーバーと、このサーバーの上方に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、前記ドリッパー手段が、ドリッパーと、このドリッパーの抽出部の上端部から上方に延長される着脱可能なアタッチメントとを有し、前記ドリッパーが、前記抽出部と、前記コーヒーメーカー本体又はサーバー上に載置するための第一載置部とを有し、前記アタッチメントが、前記抽出部を上方に延長する延長部と、この延長部の上端部又は下端部から側方に伸びる第二載置部と、前記延長部の下端部又は上端部に設けられる係合部とを有すると共に、前記係合部と択一的に係合する係合受部を前記抽出部の上部及び前記第一載置部の下部に設けるものである。
【００１４】
また、本発明の請求項８に記載のコーヒーメーカーは、請求項７において、前記第一載置部が前記コーヒーメーカー本体又はサーバー上に載置された場合における前記注湯手段から前記アタッチメントの延長部までの上下方向距離が、前記第二載置部が前記コーヒーメーカー本体又はサーバー上に載置された場合における前記注湯手段から前記ドリッパーの抽出部までの上下方向距離と等しくなるものである。
【００１５】
また、本発明の請求項９に記載のコーヒーメーカーは、コーヒーメーカー本体と、サーバー手段と、このサーバー手段上に配置されるドリッパー手段とを有し、前記コーヒーメーカー本体に設けられた注湯手段により前記ドリッパー手段の上方から湯を注ぐことで、このドリッパー手段内のコーヒー粉からコーヒー液を抽出するコーヒーメーカーにおいて、前記サーバー手段が、少なくとも小杯数用の第一サーバーと大杯数用の第二サーバーを有し、前記ドリッパー手段が、少なくとも小杯数用の第一ドリッパーと大杯数用の第二ドリッパーとを有し、各ドリッパーがそれぞれ抽出部を有し、前記第一ドリッパーが前記第一サーバー上に載置するための第一載置部を有し、前記第二ドリッパーが前記第二サーバー上に載置するための第二載置部を有すると共に、前記第一サーバーの高さが第二サーバーの高さよりも高いものである。
【００１６】
更に、本発明の請求項１０に記載のコーヒーメーカーは、請求項９において、前記第一ドリッパーが第一サーバーに載置された状態における前記注湯手段から前記第一ドリッパーの抽出部までの上下方向距離と、前記第二ドリッパーが第二サーバーに載置された状態における前記注湯手段から前記第二ドリッパーの抽出部までの距離とが等しくなるものである。
【発明の効果】
【００１７】
本発明の請求項１に記載のコーヒーメーカーは、以上のように構成することにより、前記第一ドリッパーを用いる場合の前記注湯手段から第一ドリッパーの抽出部までの上下方向距離を適正にして、小杯数抽出時でも大杯数抽出時と同様に、コーヒー抽出を良好に行うことができる。
【００１８】
また、本発明の請求項２に記載のコーヒーメーカーは、以上のように構成することにより、前記第一ドリッパーを用いる場合の前記注湯手段から第一ドリッパーの抽出部までの上下方向距離を適正にして、小杯数抽出時でも大杯数抽出時と同様に、コーヒー抽出を良好に行うことができる。
【００１９】
なお、前記第一ドリッパー又は第二ドリッパーが前記コーヒーメーカー本体又はサーバー上に載置された際に、前記注湯手段から前記第一ドリッパーの抽出部までの上下方向距離と前記注湯手段から第二ドリッパーの抽出部までの上下方向距離を等しくしたことにより、小杯数抽出時も大杯数抽出時も同様の条件で、コーヒー抽出を良好に行うことができる。
【００２０】
また、本発明の請求項４に記載のコーヒーメーカーは、以上のように構成することにより、前記第一ドリッパーを用いる場合の前記注湯手段から第一ドリッパーの抽出部までの上下方向距離を適正にして、小杯数抽出時でも大杯数抽出時と同様に、コーヒー抽出を良好に行うことができる。
【００２１】
また、本発明の請求項５に記載のコーヒーメーカーは、以上のように構成することにより、前記第一ドリッパーを用いる場合の前記注湯手段から第一ドリッパーの抽出部までの上下方向距離を適正にして、小杯数抽出時でも大杯数抽出時と同様に、コーヒー抽出を良好に行うことができる。
【００２２】
なお、前記第一ドリッパー又は第二ドリッパーが前記コーヒーメーカー本体又はサーバー上に載置された際に、前記注湯手段から前記第一ドリッパーの抽出部までの上下方向距離と前記注湯手段から第二ドリッパーの抽出部までの上下方向距離が等しくなるように、前記高さ調整手段により調整されることにより、小杯数抽出時も大杯数抽出時も同様の条件で、コーヒー抽出を良好に行うことができる。
【００２３】
また、本発明の請求項７に記載のコーヒーメーカーは、以上のように構成することにより、小杯数抽出時における前記注湯手段から前記ドリッパーの抽出部までの上下方向距離を適正にして、小杯数抽出時でも大杯数抽出時と同様に、コーヒー抽出を良好に行うことができる。
【００２４】
なお、前記第一載置部が前記コーヒーメーカー本体又はサーバー上に載置された場合における前記注湯手段から前記アタッチメントの延長部までの上下方向距離を、前記第二載置部が前記コーヒーメーカー本体又はサーバー上に載置された場合における前記注湯手段から前記ドリッパーの抽出部までの上下方向距離と等しくしたことにより、小杯数抽出時も大杯数抽出時も同様の条件で、コーヒー抽出を良好に行うことができる。
【００２５】
また、本発明の請求項９に記載のコーヒーメーカーは、以上のように構成することにより、小杯数抽出時における前記注湯手段から前記ドリッパーの抽出部までの距離を短くして、小杯数抽出時でも大杯数抽出時と同様に、コーヒー抽出を良好に行うことができる。
【００２６】
なお、前記第一ドリッパーが第一サーバーに載置された状態における前記注湯手段から前記第一ドリッパーの抽出部までの上下方向距離と、前記第二ドリッパーが第二サーバーに載置された状態における前記注湯手段から前記第二ドリッパーの抽出部までの距離とを等しくしたことにより、小杯数抽出時も大杯数抽出時も同様の条件で、コーヒー抽出を良好に行うことができる。
【図面の簡単な説明】
【００２７】
【図１】本発明の第一の実施形態を示すコーヒーメーカーの小杯数抽出時における概略側面図である。
【図２】同、大杯数抽出時における概略側面図である。
【図３】本発明の第二の実施形態を示すコーヒーメーカーの小杯数抽出時における概略側面図である。
【図４】同、大杯数抽出時における概略側面図である。
【図５】本発明の第三の実施形態を示すコーヒーメーカーの小杯数抽出時における概略側面図である。
【図６】同、大杯数抽出時における概略側面図である。
【図７】本発明の第四の実施形態を示すコーヒーメーカーの小杯数抽出時における概略側面図である。
【図８】同、大杯数抽出時における概略側面図である。
【図９】本発明の第五の実施形態を示すコーヒーメーカーの小杯数抽出時における概略側面図である。
【図１０】同、大杯数抽出時における概略側面図である。
【図１１】本発明の第六の実施形態を示すコーヒーメーカーの小杯数抽出時における概略側面図である。
【図１２】同、大杯数抽出時における概略側面図である。
【図１３】本発明の第七の実施形態を示すコーヒーメーカーの小杯数抽出時における概略側面図である。
【図１４】同、大杯数抽出時における概略側面図である。
【図１５】同、小杯数抽出時における要部の拡大断面図である。
【図１６】同、大杯数抽出時における要部の拡大断面図である。
【図１７】本発明の第八の実施形態を示すコーヒーメーカーの小杯数抽出時における概略側面図である。
【図１８】同、大杯数抽出時における概略側面図である。
【図１９】本発明の第九の実施形態を示すコーヒーメーカーの概略側面図である。
【図２０】同、小杯数抽出時における要部の拡大断面図である。
【図２１】同、大杯数抽出時における要部の拡大断面図である。
【発明を実施するための形態】
【００２８】
以下、本発明の第一の実施形態について、図１及び図２に基づいて説明する。なお、本実施形態において、各図の上下を実際の上下と規定する。１は本発明のコーヒーメーカーである。このコーヒーメーカー１は、コーヒーメーカー本体２と、サーバー３と、ドリッパー手段４とを有する。
【００２９】
前記コーヒーメーカー本体２は、立設部５と、基部６と、庇部７とを有する。前記基部６には、前記サーバー３が載置される。また、前記庇部７の下部には、注湯手段８が配置される。なお、この注湯手段８と前記庇部７の上下方向の位置関係は固定されている。
【００３０】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００３１】
前記ドリッパー手段４としては、図１に示すように、小杯数抽出用（例えば１〜３杯抽出用）の第一ドリッパー１１、又は図２に示すように、大杯数抽出用（例えば４〜６杯抽出用）の第二ドリッパー１２が、前記サーバー３のサーバー本体９上に載置される。前記第一ドリッパー１１は、下方が細くなるように形成される抽出部１３と、この抽出部１３の下部に設けられる高さ調整部１４と、この高さ調整部１４の下方に設けられるフランジ状の載置部１５とを有する。一方、前記第二ドリッパー１２は、下方が細くなるように形成される抽出部１６と、この抽出部１６の下方に設けられるフランジ状の載置部１７とを有する。なお、前記第一ドリッパー１１の抽出部１３は、前記第二ドリッパー１２の抽出部１６よりも小さく形成される。また、前記高さ調整部１４は、前記第一ドリッパー１１の抽出部１３上端から前記載置部１５下端までの上下方向距離が、前記第二ドリッパー１２の抽出部１６上端から前記載置部１７下端までの上下方向距離と同じになるように寸法が設定される。即ち、前記サーバー３上に載置された状態において、前記第一ドリッパー１１の抽出部１３上端と第二ドリッパー１２の抽出部１６上端の高さは等しい。従って、前記注湯手段８から第一ドリッパー１１の抽出部１３までの上下方向距離と、前記注湯手段８から第二ドリッパー１２の抽出部１６までの上下方向距離が等しく、前記庇部７から抽出部１３までの上下方向距離と、前記庇部７から抽出部１６までの上下方向距離も等しい。
【００３２】
次に、本実施形態の作用について説明する。コーヒー液を小杯数（例えば１〜３杯）抽出する場合、前記第一ドリッパー１１を前記サーバー３に載せ、前記抽出部１３に応じたサイズの図示しないフィルターを前記抽出部１３にセットし、杯数に応じたコーヒー粉を前記フィルター内に入れた後、前記第一ドリッパー１１が載せられたサーバー３を前記コーヒーメーカー本体２の基部６に載置する。なお、前記コーヒーメーカー１がコーヒーミルを有する形式の場合、前記第一ドリッパー１１を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００３３】
コーヒー液を大杯数（例えば４〜６杯）抽出する場合、前記第二ドリッパー１２を前記サーバー３に載せ、前記抽出部１６に応じたサイズの図示しないフィルターを前記抽出部１６にセットし、杯数に応じたコーヒー粉を前記フィルター内に入れた後、前記第二ドリッパー１２が載せられたサーバー３を前記コーヒーメーカー本体２の基部６に載置する。なお、前記コーヒーメーカー１がコーヒーミルを有する形式の場合、前記第二ドリッパー１２を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００３４】
なお、前記高さ調整部１４によって、前記注湯手段８から第一ドリッパー１１の抽出部１３までの上下方向距離と、前記注湯手段８から第二ドリッパー１２の抽出部１６までの上下方向距離が等しくされることで、前記注湯手段８と第一ドリッパー１１の位置関係と、前記注湯手段８と第二ドリッパー１２の位置関係が略同一となる。このため、前記第一ドリッパー１１を用いる場合と、第二ドリッパー１２を用いる場合とで、注がれる湯の落下位置や温度低下が略等しくなるので、同様且つ良好にコーヒー液を抽出することができる。また、本実施形態の場合、前記庇部７から第一ドリッパー１１までの上下方向距離と、前記庇部７から第二ドリッパー１２までの上下方向距離が等しいので、前記コーヒーメーカー１がコーヒーミルを有する形式の場合であっても、前記第二ドリッパー１２が用いられる場合と同様に、前記第一ドリッパー１１が用いられる場合も、コーヒー粉が前記庇部７との間から漏れにくくすることができる。
【００３５】
以上のように本発明は、コーヒーメーカー本体２と、サーバー３と、このサーバー３の上方に配置されるドリッパー手段４とを有し、前記コーヒーメーカー本体２の庇部７に設けられた注湯手段８により前記ドリッパー手段４の上方から湯を注ぐことで、このドリッパー手段４内のコーヒー粉からコーヒー液を抽出するコーヒーメーカー１であって、前記ドリッパー手段４が前記載置部１５，１７によって前記サーバー３上に載置され、小杯数用の第一ドリッパー１１と大杯数用の第二ドリッパー１２とを有し、各ドリッパー１１，１２がそれぞれ抽出部１３，１６を有すると共に、前記第一ドリッパー１１が高さ調整部１４を有することで、前記第一ドリッパー１１を用いる場合の前記注湯手段８から第一ドリッパー１１の抽出部までの上下方向距離を適正にして、小杯数抽出時のコーヒー抽出を良好に行うことができるものである。
【００３６】
また本発明は、前記第一ドリッパー１１又は第二ドリッパー１２が前記サーバー３上に載置された際に、前記注湯手段８から前記第一ドリッパー１１の抽出部１３までの上下方向距離と前記注湯手段８から第二ドリッパー１２の抽出部１６までの上下方向距離が等しくなることにより、小杯数抽出時も大杯数抽出時も同様にコーヒー抽出を良好に行うことができるものである。
【００３７】
次に、本発明の第二の実施形態について、図３及び図４に基づいて説明する。なお、本実施形態においても、各図の上下を実際の上下と規定する。２１は本発明のコーヒーメーカーである。このコーヒーメーカー２１は、コーヒーメーカー本体２と、サーバー３と、ドリッパー手段２２とを有する。
【００３８】
前記コーヒーメーカー本体２は、立設部５と、基部６と、庇部７とを有する。前記基部６には、前記サーバー３が載置される。また、前記庇部７の下部には、注湯手段８が配置される。なお、この注湯手段８と前記庇部７の上下方向の位置関係は固定されている。
【００３９】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００４０】
前記ドリッパー手段２２としては、図３に示すように、小杯数抽出用（例えば１〜３杯抽出用）の第一ドリッパー２３、又は図４に示すように、大杯数抽出用（例えば４〜６杯抽出用）の第二ドリッパー１２が、前記サーバー３のサーバー本体９上に載置される。前記第一ドリッパー２３は、下方が細くなるように形成される抽出部２４と、この抽出部２４の下部に設けられるフランジ状の載置部２５とを有する。そして、前記載置部２５の下方には、高さ調整部２６が設けられる。なお、この高さ調整部２６は、前記載置部２５と一体であっても別体であってもよい。一方、前記第二ドリッパー１２は、下方が細くなるように形成される抽出部１６と、この抽出部１６の下方に設けられるフランジ状の載置部１７とを有する。なお、前記第一ドリッパー２３の抽出部２４は、前記第二ドリッパー１２の抽出部１６よりも小さく形成される。また、前記高さ調整部２６は、自身の下端から前記第一ドリッパー２３の抽出部２４上端までの距離が、前記載置部１７の下端から前記第二ドリッパー１２の抽出部１６上端までの距離と同じになるように寸法が設定される。即ち、前記サーバー３上に載置された状態において、前記第一ドリッパー２３の抽出部２４上端と第二ドリッパー１２の抽出部１６上端の高さは等しい。従って、前記注湯手段８から第一ドリッパー２３の抽出部２４までの上下方向距離と、前記注湯手段８から第二ドリッパー１２の抽出部１６までの上下方向距離が等しく、前記庇部７から抽出部２４までの上下方向距離と、前記庇部７から抽出部１６までの上下方向距離も等しい。
【００４１】
次に、本実施形態の作用について説明する。コーヒー液を小杯数（例えば１〜３杯）抽出する場合、前記第一ドリッパー２３を前記サーバー３に載せ、前記抽出部２４に応じたサイズの図示しないフィルターを前記抽出部２４にセットし、杯数に応じたコーヒー粉を前記フィルター内に入れた後、前記第一ドリッパー２３が載せられたサーバー３を前記コーヒーメーカー本体２の基部６に載置する。なお、前記コーヒーメーカー２１がコーヒーミルを有する形式の場合、前記第一ドリッパー２３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００４２】
コーヒー液を大杯数（例えば４〜６杯）抽出する場合、前記第二ドリッパー１２を前記サーバー３に載せ、前記抽出部１６に応じたサイズの図示しないフィルターを前記抽出部１６にセットし、杯数に応じたコーヒー粉を前記フィルター内に入れた後、前記第二ドリッパー１２が載せられたサーバー３を前記コーヒーメーカー本体２の基部６に載置する。なお、前記コーヒーメーカー２１がコーヒーミルを有する形式の場合、前記第二ドリッパー１２を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００４３】
なお、前記高さ調整部２６によって、前記注湯手段８から第一ドリッパー２３の注出部２４までの上下方向距離と、前記注湯手段８から第二ドリッパー１２の注出部１６までの上下方向距離が等しくされることで、前記注湯手段８と第一ドリッパー２３の注出部２４との位置関係と、前記注湯手段８と第二ドリッパー１２の注出部１６との位置関係が略同一となる。このため、前記第一ドリッパー２３を用いる場合と、第二ドリッパー１２を用いる場合とで、注がれる湯の落下位置や温度低下が略等しくなるので、同様且つ良好にコーヒー液を抽出することができる。また、本実施形態の場合、前記庇部７から第一ドリッパー２３の注出部２４までの上下方向距離と、前記庇部７から第二ドリッパー１２の注出部１６までの上下方向距離が等しいので、前記コーヒーメーカー２１がコーヒーミルを有する形式の場合であっても、前記第二ドリッパー１２が用いられる場合と同様に、前記第一ドリッパー２３が用いられる場合も、コーヒー粉が前記庇部７との間から漏れにくくすることができる。
【００４４】
以上のように本発明は、コーヒーメーカー本体２と、サーバー３と、このサーバー３の上方に配置されるドリッパー手段２２とを有し、前記コーヒーメーカー本体２の庇部７に設けられた注湯手段８により前記ドリッパー手段２２の上方から湯を注ぐことで、このドリッパー手段２２内のコーヒー粉からコーヒー液を抽出するコーヒーメーカー１であって、前記ドリッパー手段２２が前記サーバー３上に載置され、小杯数用の第一ドリッパー２３と大杯数用の第二ドリッパー１２とを有し、各ドリッパー２３，１２がそれぞれ抽出部２４，１６を有すると共に、前記第一ドリッパー２３が高さ調整部２６を有することで、前記第一ドリッパー２３を用いる場合の前記注湯手段８から第一ドリッパー２３の注出部２４までの上下方向距離を適正にして、小杯数抽出時のコーヒー抽出を良好に行うことができるものである。
【００４５】
また本発明は、前記第一ドリッパー２３又は第二ドリッパー１２が前記サーバー３上に載置された際に、前記注湯手段８から前記第一ドリッパー２３の抽出部２４までの上下方向距離と前記注湯手段８から第二ドリッパー１２の抽出部１６までの上下方向距離が等しくなることにより、小杯数抽出時も大杯数抽出時も同様にコーヒー抽出を良好に行うことができるものである。
【００４６】
次に、本発明の第三の実施形態について、図５及び図６に基づいて説明する。なお、本実施形態においても、各図の上下を実際の上下と規定する。３１は本発明のコーヒーメーカーである。このコーヒーメーカー３１は、コーヒーメーカー本体２と、サーバー３と、ドリッパー手段３２とを有する。
【００４７】
前記コーヒーメーカー本体２は、立設部５と、基部６と、庇部７とを有する。前記基部６には、前記サーバー３が載置される。また、前記庇部７の下部には、注湯手段８が配置される。なお、この注湯手段８と前記庇部７の上下方向の位置関係は固定されている。
【００４８】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００４９】
前記ドリッパー手段３２は、小杯数抽出用（例えば１〜３杯抽出用）の第一ドリッパー３３と、大杯数抽出用（例えば４〜６杯抽出用）の第二ドリッパー３４と、支持手段３５とを有して構成される。前記第一ドリッパー３３は、下方が細くなるように形成される抽出部３６と、この抽出部３６の外面から側方に突出して設けられるフランジ状の掛部３７とを有する。同様に、前記第二ドリッパー３４は、下方が細くなるように形成される抽出部３８と、この抽出部３８の外面から側方に突出して設けられるフランジ状の掛部３９とを有する。また、前記支持手段３５は、前記サーバー３のサーバー本体９上に載置するための載置部４０と、この載置部４０から上方に筒状に伸びる支持部４１とを有する。この支持部４１は、前記掛部３７，３９を掛けるためのものである。即ち、前記サーバー３のサーバー本体９上に前記支持手段３５が載置されると共に、この支持手段３５の支持部４１上に前記第一ドリッパー３３又は第二ドリッパー３４が載置される。なお、前記第一ドリッパー３３の抽出部３６は、前記第二ドリッパー３４の抽出部３８よりも小さく形成される。また、前記第一ドリッパー３３における前記抽出部３６の上端から前記掛部３７における前記支持部４１と当接する箇所までの上下方向距離は、前記第二ドリッパー３４における前記抽出部３８の上端から前記掛部３９における前記支持部４１と当接する箇所までの上下方向距離と同じである。即ち、前記サーバー３上に載置された状態において、前記第一ドリッパー３３の抽出部３６上端と第二ドリッパー３４の抽出部３８上端の高さは等しい。従って、前記注湯手段８から第一ドリッパー３３の抽出部３６までの上下方向距離と、前記注湯手段８から第二ドリッパー３４の抽出部３８までの上下方向距離が等しく、前記庇部７から抽出部３６までの上下方向距離と、前記庇部７から抽出部３８までの上下方向距離も等しい。
【００５０】
次に、本実施形態の作用について説明する。まず、予め、前記支持手段３５を前記サーバー３のサーバー本体９上に載置する。そして、コーヒー液を小杯数（例えば１〜３杯）抽出する場合、前記第一ドリッパー３３を前記支持手段３５の支持部４１に載せ、前記抽出部３６に応じたサイズの図示しないフィルターを前記抽出部３６にセットし、杯数に応じたコーヒー粉を前記フィルター内に入れた後、前記第一ドリッパー３３及び支持手段３５が載せられたサーバー３を前記コーヒーメーカー本体２の基部６に載置する。なお、前記コーヒーメーカー３１がコーヒーミルを有する形式の場合、前記第一ドリッパー３３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００５１】
コーヒー液を大杯数（例えば４〜６杯）抽出する場合、前記第二ドリッパー３４を前記支持手段３５の支持部４１に載せ、前記抽出部３８に応じたサイズの図示しないフィルターを前記抽出部３８にセットし、杯数に応じたコーヒー粉を前記フィルター内に入れた後、前記第二ドリッパー３４及び支持手段３５が載せられたサーバー３を前記コーヒーメーカー本体２の基部６に載置する。なお、前記コーヒーメーカー３１がコーヒーミルを有する形式の場合、前記第二ドリッパー３４を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００５２】
なお、前記支持手段３５の支持部４１と前記各ドリッパー３３，３４の掛部３７，３９によって、前記注湯手段８から第一ドリッパー３３の注出部３６までの上下方向距離と、前記注湯手段８から第二ドリッパー３４の注出部３８までの上下方向距離が等しくされることで、前記注湯手段８と第一ドリッパー３３の注出部３６との位置関係と、前記注湯手段８と第二ドリッパー３４の注出部３８との位置関係が略同一となる。このため、前記第一ドリッパー３３を用いる場合と、第二ドリッパー３４を用いる場合とで、注がれる湯の落下位置や温度低下が略等しくなるので、同様且つ良好にコーヒー液を抽出することができる。また、本実施形態の場合、前記庇部７から第一ドリッパー３３の注出部３６までの上下方向距離と、前記庇部７から第二ドリッパー３４の注出部３８までの上下方向距離が等しいので、前記コーヒーメーカー３１がコーヒーミルを有する形式の場合であっても、前記第二ドリッパー３４が用いられる場合と同様に、前記第一ドリッパー３３が用いられる場合も、コーヒー粉が前記庇部７との間から漏れにくくすることができる。
【００５３】
以上のように本発明は、コーヒーメーカー本体２と、サーバー３と、このサーバー３の上方に配置されるドリッパー手段３２とを有し、前記コーヒーメーカー本体２の庇部７に設けられた注湯手段８により前記ドリッパー手段３２の上方から湯を注ぐことで、このドリッパー手段３２内のコーヒー粉からコーヒー液を抽出するコーヒーメーカー３１であって、前記ドリッパー手段３２が、小杯数用の第一ドリッパー３３と大杯数用の第二ドリッパー３４と、これらの第一ドリッパー３３と第二ドリッパー３４を支持する支持手段３５とを有し、各ドリッパー３３，３４がそれぞれ、抽出部３６，３８と、前記支持手段３５上に載置するためのフランジ状の掛部３７，３９を有すると共に、前記支持手段３５が、前記サーバー３上に載置するためのフランジ状の載置部４０と、この載置部４０から上方に筒状に伸びると共に前記掛部３７，３９を掛けるための支持部４１とを有することで、前記第一ドリッパー３３を用いる場合の前記注湯手段８から第一ドリッパー３３の注出部３６までの上下方向距離を適正にして、小杯数抽出時のコーヒー抽出を良好に行うことができるものである。
【００５４】
また本発明は、前記第一ドリッパー３３又は第二ドリッパー３４が前記サーバー３上に載置された際に、前記注湯手段８から前記第一ドリッパー３３の注出部３６までの上下方向距離と前記注湯手段８から第二ドリッパー３４の注出部３８までの距離が等しくなることにより、小杯数抽出時も大杯数抽出時も同様にコーヒー抽出を良好に行うことができるものである。
【００５５】
次に、本発明の第四の実施形態について、図７及び図８に基づいて説明する。なお、本実施形態においても、各図の上下を実際の上下と規定する。５１は本発明のコーヒーメーカーである。このコーヒーメーカー５１は、コーヒーメーカー本体５２と、サーバー３と、ドリッパー手段５３とを有する。
【００５６】
前記コーヒーメーカー本体５２は、立設部５と、基部６と、庇部７とを有する。前記基部６には、上下方向に出没可能な高さ調整手段５４が設けられる。なお、この高さ調整手段５４は、動力によって出没できるようにしても、手動によって出没できるようにしてもよい。また、前記高さ調整手段５４は、前記コーヒーメーカー本体５２とは別体としてもよい。そして、前記高さ調整手段５４上に、前記サーバー３が載置される。また、前記庇部７の下部には、注湯手段８が配置される。なお、この注湯手段８と前記庇部７の上下方向の位置関係は固定されている。
【００５７】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００５８】
前記ドリッパー手段５３としては、図７に示すように、小杯数抽出用（例えば１〜３杯抽出用）の第一ドリッパー２３、又は図８に示すように、大杯数抽出用（例えば４〜６杯抽出用）の第二ドリッパー１２が、前記サーバー３のサーバー本体９上に載置される。前記第一ドリッパー２３は、下方が細くなるように形成される抽出部２４と、この抽出部２４の下部に設けられるフランジ状の載置部２５とを有する。一方、前記第二ドリッパー１２は、下方が細くなるように形成される抽出部１６と、この抽出部１６の下方に設けられるフランジ状の載置部１７とを有する。なお、前記第一ドリッパー２３の抽出部２４は、前記第二ドリッパー１２の抽出部１６よりも小さく形成される。
【００５９】
前記高さ調整手段５４の前記基部６からの突出寸法、即ち前記高さ調整手段５４が上位置にある場合と下位置にある場合の高さの差は、前記第一ドリッパー２３を前記サーバー３に載置した状態における前記サーバー本体９の上端から前記抽出部２４の上端までの上下方向距離と、前記第二ドリッパー１２を前記サーバー３に載置した状態における前記サーバー本体９の上端から前記抽出部１６の上端までの上下方向距離の差と同じになるように設定される。即ち、上位置にある前記高さ調整手段５４に前記サーバー３と第一ドリッパー２３を載置した際の前記抽出部２４の上端高さと、下位置にある前記高さ調整手段５４に前記サーバー３と第二ドリッパー１２を載置した際の前記抽出部１６の上端高さは等しい。従って、上述の条件では、前記注湯手段８から第一ドリッパー２３の抽出部２４までの上下方向距離と、前記注湯手段８から第二ドリッパー１２の抽出部１６までの上下方向距離が等しく、前記庇部７から抽出部２４までの上下方向距離と、前記庇部７から抽出部１６までの上下方向距離も等しい。
【００６０】
次に、本実施形態の作用について説明する。コーヒー液を小杯数（例えば１〜３杯）抽出する場合、前記第一ドリッパー２３を前記サーバー３に載せ、前記抽出部２４に応じたサイズの図示しないフィルターを前記抽出部２４にセットし、杯数に応じたコーヒー粉を前記フィルター内に入れた後、前記第一ドリッパー２３が載せられたサーバー３を前記コーヒーメーカー本体５２の基部６に設けられた高さ調整手段５４に載置する。そして、図示しない操作部を操作することで、前記高さ調整手段５４を上位置に突出させる。なお、前記コーヒーメーカー５１がコーヒーミルを有する形式の場合、前記第一ドリッパー２３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００６１】
コーヒー液を大杯数（例えば４〜６杯）抽出する場合、前記第二ドリッパー１２を前記サーバー３に載せ、前記抽出部１６に応じたサイズの図示しないフィルターを前記抽出部１６にセットし、杯数に応じたコーヒー粉を前記フィルター内に入れた後、前記第二ドリッパー１２が載せられたサーバー３を前記コーヒーメーカー本体５２の基部６の高さ調整手段５４に載置する。この場合、前記高さ調整手段５４を、前記基部６の上面から上方に突出させず下位置のままとする。なお、前記コーヒーメーカー５１がコーヒーミルを有する形式の場合、前記第二ドリッパー１２を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００６２】
なお、前記高さ調整手段５４によって、前記注湯手段８から第一ドリッパー２３の抽出部２４までの上下方向距離と、前記注湯手段８から第二ドリッパー１２の抽出部１６までの上下方向距離が等しくされることで、前記注湯手段８と第一ドリッパー２３の抽出部２４の位置関係と、前記注湯手段８と第二ドリッパー１２の抽出部１６の位置関係が略同一となる。このため、前記第一ドリッパー２３を用いる場合と、第二ドリッパー１２を用いる場合とで、注がれる湯の落下位置や温度低下が略等しくなるので、同様且つ良好にコーヒー液を抽出することができる。また、本実施形態の場合、前記庇部７から第一ドリッパー２３の抽出部２４までの上下方向距離と、前記庇部７から第二ドリッパー１２の抽出部１６までの上下方向距離が等しいので、前記コーヒーメーカー５１がコーヒーミルを有する形式の場合であっても、前記第二ドリッパー１２が用いられる場合と同様に、前記第一ドリッパー２３が用いられる場合も、コーヒー粉が前記庇部７との間から漏れにくくすることができる。
【００６３】
以上のように本発明は、コーヒーメーカー本体５２と、サーバー３と、このサーバー３の上方に配置されるドリッパー手段５３とを有し、前記コーヒーメーカー本体５２の庇部７に設けられた注湯手段８により前記ドリッパー手段５３の上方から湯を注ぐことで、このドリッパー手段５３内のコーヒー粉からコーヒー液を抽出するコーヒーメーカー５１であって、前記ドリッパー手段５３が前記サーバー３上に載置され、小杯数用の第一ドリッパー２３と大杯数用の第二ドリッパー１２とを有し、各ドリッパー２３，１２がそれぞれ抽出部２４，１６を有すると共に、前記コーヒーメーカー本体５２が前記ドリッパー手段５３の高さ調整手段５４を有することで、前記第一ドリッパー２３を用いる場合の前記注湯手段８から第一ドリッパー２３の抽出部２４までの上下方向距離を適正にして、小杯数抽出時のコーヒー抽出を良好に行うことができるものである。
【００６４】
また本発明は、前記第一ドリッパー２３又は第二ドリッパー１２が前記サーバー３上に載置された際に、前記注湯手段８から前記第一ドリッパー２３の抽出部２４までの上下方向距離と前記注湯手段８から第二ドリッパー１２の抽出部１６までの上下方向距離が等しくなるように、前記高さ調整手段５４により調整されることで、小杯数抽出時も大杯数抽出時も同様にコーヒー抽出を良好に行うことができるものである。
【００６５】
次に、本発明の第五の実施形態について、図９及び図１０に基づいて説明する。なお、本実施形態においても、各図の上下を実際の上下と規定する。６１は本発明のコーヒーメーカーである。このコーヒーメーカー６１は、コーヒーメーカー本体６２と、サーバー３と、ドリッパー手段５３とを有する。
【００６６】
前記コーヒーメーカー本体６２は、立設部５と、基部６と、庇部７とを有する。前記立設部５には、上下方向に移動可能な高さ調整手段６３が設けられる。なお、この高さ調整手段６３は、動力によって上下に移動できるようにしても、手動によって上下に移動できるようにしてもよい。また、前記高さ調整手段６３は、前記コーヒーメーカー本体６２とは別体としてもよい。そして、前記高さ調整手段６３上に、前記ドリッパー手段５３が載置される。また、前記庇部７の下部には、注湯手段８が配置される。なお、この注湯手段８と前記庇部７の上下方向の位置関係は固定されている。
【００６７】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００６８】
前記ドリッパー手段５３としては、図９に示すように、小杯数抽出用（例えば１〜３杯抽出用）の第一ドリッパー２３、又は図１０に示すように、大杯数抽出用（例えば４〜６杯抽出用）の第二ドリッパー１２が、前記高さ調整手段６３上に載置される。前記第一ドリッパー２３は、下方が細くなるように形成される抽出部２４と、この抽出部２４の下部に設けられるフランジ状の載置部２５とを有する。一方、前記第二ドリッパー１２は、下方が細くなるように形成される抽出部１６と、この抽出部１６の下方に設けられるフランジ状の載置部１７とを有する。なお、前記第一ドリッパー２３の抽出部２４は、前記第二ドリッパー１２の抽出部１６よりも小さく形成される。
【００６９】
前記高さ調整手段６３が下位置にある場合の高さと上位置にある場合の高さの差は、前記第一ドリッパー２３を前記高さ調整手段６３に載置した状態における、この高さ調整手段６３上端から前記抽出部２４上端までの上下方向距離と、前記第二ドリッパー１２を前記高さ調整手段６３に載置した状態における、この高さ調整手段６３上端から前記抽出部１６上端までの上下方向距離の差と同じになるように設定される。即ち、上位置にある前記高さ調整手段６３上に前記第一ドリッパー２３が載置された状態における前記抽出部２４の上端高さと、下位置にある前記高さ調整手段６３上に前記第二ドリッパー１２が載置された状態における前記抽出部１６の上端高さは等しい。従って、上述の条件では、前記注湯手段８から第一ドリッパー２３の抽出部２４までの上下方向距離と、前記注湯手段８から第二ドリッパー１２の抽出部１６までの上下方向距離が等しく、前記庇部７から抽出部２４までの上下方向距離と、前記庇部７から抽出部１６までの上下方向距離も等しい。
【００７０】
次に、本実施形態の作用について説明する。まず、予め前記サーバー３を前記コーヒーメーカー本体６２の基部６に載置しておく。そして、コーヒー液を小杯数（例えば１〜３杯）抽出する場合、前記抽出部２４に応じたサイズの図示しないフィルターを前記第一ドリッパー２３の抽出部２４にセットし、杯数に応じたコーヒー粉を前記フィルター内に入れた後、この第一ドリッパー２３を前記高さ調整手段６３に載置する。そして、前記高さ調整手段６３を上位置のままにするか、又は図示しない操作部を操作することで、下位置から上位置に移動させる。なお、前記コーヒーメーカー６１がコーヒーミルを有する形式の場合、前記第一ドリッパー２３を前記コーヒーメーカー本体６２にセットした後、コーヒーミルによって粉砕されたコーヒー粉が前記フィルター内に送られて貯められる。また、何れの場合も、先に前記高さ調整手段６３を上位置に移動させた後、この高さ調整手段６３に前記第一ドリッパー２３を載置してもよい。そして、前記フィルター内のコーヒー粉に、抽出する杯数に応じた湯が前記注湯手段８から注がれる。これによって、前記コーヒー粉から所定の杯数のコーヒー液が抽出される。
【００７１】
コーヒー液を大杯数（例えば４〜６杯）抽出する場合、前記抽出部１６に応じたサイズの図示しないフィルターを前記第二ドリッパー１２の抽出部１６にセットし、杯数に応じたコーヒー粉を前記フィルター内に入れた後、この第二ドリッパー１２を前記高さ調整手段６３に載置する。そして、前記高さ調整手段６３を下位置のままにするか、又は図示しない操作部を操作することで、上位置から下位置に移動させる。なお、前記コーヒーメーカー６１がコーヒーミルを有する形式の場合、前記第二ドリッパー１２を前記コーヒーメーカー本体６２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。また、何れの場合も、先に前記高さ調整手段６３を下位置に移動させた後、この高さ調整手段６３に前記第二ドリッパー１２を載置してもよい。そして、前記フィルター内のコーヒー粉に、抽出する杯数に応じた湯が前記注湯手段８から注がれる。これによって、前記コーヒー粉から所定の杯数のコーヒー液が抽出される。
【００７２】
なお、前記高さ調整手段６３によって、前記注湯手段８から第一ドリッパー２３の抽出部２４までの上下方向距離と、前記注湯手段８から第二ドリッパー１２の抽出部１６までの上下方向距離が等しくされることで、前記注湯手段８と第一ドリッパー２３の抽出部２４の位置関係と、前記注湯手段８と第二ドリッパー１２の抽出部１６の位置関係が略同一となる。このため、前記第一ドリッパー２３を用いる場合と、第二ドリッパー１２を用いる場合とで、注がれる湯の落下位置や温度低下が略等しくなるので、同様且つ良好にコーヒー液を抽出することができる。また、本実施形態の場合、前記庇部７から第一ドリッパー２３の抽出部２４までの上下方向距離と、前記庇部７から第二ドリッパー１２の抽出部１６までの上下方向距離が等しいので、前記コーヒーメーカー５１がコーヒーミルを有する形式の場合であっても、前記第二ドリッパー１２が用いられる場合と同様に、前記第一ドリッパー２３が用いられる場合も、コーヒー粉が前記庇部７との間から漏れにくくすることができる。
【００７３】
以上のように本発明は、コーヒーメーカー本体６２と、サーバー３と、このサーバー３の上方に配置されるドリッパー手段５３とを有し、前記コーヒーメーカー本体６２の庇部７に設けられた注湯手段８により前記ドリッパー手段５３の上方から湯を注ぐことで、このドリッパー手段５３内のコーヒー粉からコーヒー液を抽出するコーヒーメーカー６１であって、前記ドリッパー手段５３が前記コーヒーメーカー本体６２上に載置され、小杯数用の第一ドリッパー２３と大杯数用の第二ドリッパー１２とを有し、各ドリッパー２３，１２がそれぞれ抽出部２４，１６を有すると共に、前記コーヒーメーカー本体６２が前記ドリッパー手段５３の高さ調整手段６３を有することで、前記第一ドリッパー２３を用いる場合の前記注湯手段８から第一ドリッパー２３の抽出部２４までの上下方向距離を適正にして、小杯数抽出時のコーヒー抽出を良好に行うことができるものである。
【００７４】
また本発明は、前記第一ドリッパー２３又は第二ドリッパー１２が前記高さ調整手段６３上に載置された際に、前記注湯手段８から前記第一ドリッパー２３の抽出部２４までの上下方向距離と前記注湯手段８から第二ドリッパー１２の抽出部１６までの上下方向距離が等しくなるように、前記高さ調整手段６３により調整されることで、小杯数抽出時も大杯数抽出時も同様にコーヒー抽出を良好に行うことができるものである。
【００７５】
次に、本発明の第六の実施形態について、図１１及び図１２に基づいて説明する。なお、本実施形態においても、各図の上下を実際の上下と規定する。７１は本発明のコーヒーメーカーである。このコーヒーメーカー７１は、コーヒーメーカー本体７２と、サーバー３と、ドリッパー手段５３とを有する。
【００７６】
前記コーヒーメーカー本体７２は、立設部５と、基部６と、庇部７とを有する。そして、前記庇部７の下部には、注湯手段８が配置される。また、前記庇部７には、前記注湯手段８を上下方向に移動させる高さ調整手段７３が設けられる。なお、この高さ調整手段７３は、動力によって上下に移動できるようにしても、手動によって上下に移動できるようにしてもよい。このように、前記高さ調整手段７３を操作することで、前記注湯手段８の高さを変更することができる。
【００７７】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００７８】
前記ドリッパー手段５３としては、図１１に示すように、小杯数抽出用（例えば１〜３杯抽出用）の第一ドリッパー２３、又は図１２に示すように、大杯数抽出用（例えば４〜６杯抽出用）の第二ドリッパー１２が、前記サーバー３のサーバー本体９上に載置される。前記第一ドリッパー２３は、下方が細くなるように形成される抽出部２４と、この抽出部２４の下部に設けられるフランジ状の載置部２５とを有する。一方、前記第二ドリッパー１２は、下方が細くなるように形成される抽出部１６と、この抽出部１６の下方に設けられるフランジ状の載置部１７とを有する。なお、前記第一ドリッパー２３の抽出部２４は、前記第二ドリッパー１２の抽出部１６よりも小さく形成される。
【００７９】
前述したように、前記高さ調整手段７３により前記注湯手段８が上下に移動する。この注湯手段８の下位置と上位置の高さの差は、前記サーバー３に前記第一ドリッパー２３を載置した際の、前記サーバー本体９上端から前記第一ドリッパー２３の抽出部２４上端までの上下方向距離と、前記サーバー３に前記第二ドリッパー１２を載置した際の、前記サーバー本体９上端から前記第二ドリッパー１２の抽出部１６上端までの上下方向距離との差と同じになるように設定される。即ち、前記サーバー３に前記第一ドリッパー２３を載置し、これを前記基部６に載置した状態で、前記高さ調整手段７３によって前記注湯手段８を下位置とした場合の、この注湯手段８と第一ドリッパー２３の抽出部２４との上下方向距離は、前記サーバー３に前記第二ドリッパー１２を載置し、これを前記基部６に載置した状態で、前記高さ調整手段７３によって前記注湯手段８を上位置とした場合の、この注湯手段８と第二ドリッパー１２の抽出部１６との上下方向距離と等しい。
【００８０】
次に、本実施形態の作用について説明する。コーヒー液を小杯数（例えば１〜３杯）抽出する場合、前記第一ドリッパー２３を前記サーバー３に載置し、前記抽出部２４に応じたサイズの図示しないフィルターを前記第一ドリッパー２３の抽出部２４にセットし、杯数に応じたコーヒー粉を前記フィルター内に入れた後、前記第一ドリッパー２３を載置した前記サーバー３を前記基部６に載置する。そして、前記注湯手段８を下位置のままにするか、又は図示しない操作部を操作することで、前記注湯手段８を上位置から下位置に移動させる。なお、前記コーヒーメーカー７１がコーヒーミルを有する形式の場合、前記第一ドリッパー２３を前記コーヒーメーカー本体７２にセットした後、コーヒーミルによって粉砕されたコーヒー粉が前記フィルター内に送られて貯められる。また、何れの場合も、先に前記高さ調整手段７３によって前記注湯手段８を下位置に移動させた後、前記第一ドリッパー２３を前記コーヒーメーカー本体７２にセットしてもよい。そして、前記フィルター内のコーヒー粉に、抽出する杯数に応じた湯が前記注湯手段８から注がれる。これによって、前記コーヒー粉から所定の杯数のコーヒー液が抽出される。
【００８１】
コーヒー液を大杯数（例えば４〜６杯）抽出する場合、前記第二ドリッパー１２を前記サーバー３に載置し、前記抽出部２４に応じたサイズの図示しないフィルターを前記第二ドリッパー１２の抽出部１６にセットし、杯数に応じたコーヒー粉を前記フィルター内に入れた後、前記第二ドリッパー１２を載置した前記サーバー３を前記基部６に載置する。そして、前記注湯手段８を上位置のままにするか、又は図示しない操作部を操作することで、前記注湯手段８を下位置から上位置に移動させる。なお、前記コーヒーメーカー７１がコーヒーミルを有する形式の場合、前記第一ドリッパー２３を前記コーヒーメーカー本体７２にセットした後、コーヒーミルによって粉砕されたコーヒー粉が前記フィルター内に送られて貯められる。また、何れの場合も、先に前記高さ調整手段７３によって前記注湯手段８を上位置に移動させた後、前記第二ドリッパー１２を前記コーヒーメーカー本体７２にセットしてもよい。そして、前記フィルター内のコーヒー粉に、抽出する杯数に応じた湯が前記注湯手段８から注がれる。これによって、前記コーヒー粉から所定の杯数のコーヒー液が抽出される。
【００８２】
なお、前記高さ調整手段７３によって、前記注湯手段８から第一ドリッパー２３の抽出部２４までの上下方向距離と、前記注湯手段８から第二ドリッパー１２の抽出部１６までの上下方向距離が等しくされることで、前記注湯手段８と第一ドリッパー２３の抽出部２４との位置関係と、前記注湯手段８と第二ドリッパー１２の抽出部１６との位置関係が略同一となる。このため、前記第一ドリッパー２３を用いる場合と、第二ドリッパー１２を用いる場合とで、注がれる湯の落下位置や温度低下が略等しくなるので、同様且つ良好にコーヒー液を抽出することができる。
【００８３】
以上のように本発明は、コーヒーメーカー本体７２と、サーバー３と、このサーバー３の上方に配置されるドリッパー手段５３とを有し、前記コーヒーメーカー本体７２の庇部７に設けられた注湯手段８により前記ドリッパー手段５３の上方から湯を注ぐことで、このドリッパー手段５３内のコーヒー粉からコーヒー液を抽出するコーヒーメーカー７１であって、前記ドリッパー手段５３が前記サーバー３上に載置され、小杯数用の第一ドリッパー２３と大杯数用の第二ドリッパー１２とを有し、各ドリッパー２３，１２がそれぞれ抽出部２４，１６を有すると共に、前記コーヒーメーカー本体７２が前記注湯手段８の高さ調整手段７３を有することで、前記第一ドリッパー２３を用いる場合の前記注湯手段８から第一ドリッパー２３の抽出部２４までの上下方向距離を適正にして、小杯数抽出時のコーヒー抽出を良好に行うことができるものである。
【００８４】
また本発明は、前記第一ドリッパー２３又は第二ドリッパー１２が前記サーバー３上に載置された際に、前記注湯手段８から前記第一ドリッパー２３の抽出部２４までの上下方向距離と前記注湯手段８から第二ドリッパー１２の抽出部１６までの上下方向距離が等しくなるように、前記高さ調整手段７３により調整されることで、小杯数抽出時も大杯数抽出時も同様にコーヒー抽出を良好に行うことができるものである。
【００８５】
次に、本発明の第七の実施形態について、図１３乃至図１６に基づいて説明する。なお、本実施形態においても、各図の上下を実際の上下と規定する。８１は本発明のコーヒーメーカーである。このコーヒーメーカー８１は、コーヒーメーカー本体２と、サーバー３と、ドリッパー手段８２とを有する。
【００８６】
前記コーヒーメーカー本体２は、立設部５と、基部６と、庇部７とを有する。前記基部６には、前記サーバー３が載置される。また、前記庇部７の下部には、注湯手段８が配置される。なお、この注湯手段８と前記庇部７の上下方向の位置関係は固定されている。
【００８７】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【００８８】
前記ドリッパー手段８２は、ドリッパー８３と、このドリッパー８３に対し着脱可能なアタッチメント８４とを有する。前記ドリッパー８３は、下方が細くなるように形成される抽出部８５と、この抽出部８５の下部に設けられて前記サーバー３上に載置するためのフランジ状の第一載置部８６とを有する。また、前記アタッチメント８４は、図１３及び図１５に示すように、前記ドリッパー８３の下部にセットすることが可能であり、また、図１４及び図１６に示すように、前記ドリッパー８３の上部にセットすることも可能である。前記アタッチメント８４は、延長部８７と、フランジ状の第二載置部８８と、係合部８９とを有する。前記延長部８７は、前記抽出部８５を延長するように、一方側から他方側に向かって細くなる形状に形成される。そして、前記第二載置部８８は、前記延長部８７の一方端から側方に伸びて設けられる。また、前記係合部８９は、前記延長部８７の他方端に設けられる。そして、前記抽出部８４の上端部には、前記係合部８９と係合する第一係合受部９０が設けられると共に、前記第一載置部８６の下部には、前記係合部８９と係合する第二係合受部９１が設けられる。なお、前記第一載置部８６と第二載置部８８は、直径が等しくなるように形成される。
【００８９】
図１５に示すように、前記アタッチメント８５の係合部８９を上方、第二載置部８８を下方として、前記係合部８９と前記ドリッパー８３の第二係合受部９１と係合させることができる。また、図１６に示すように、前記アタッチメント８５の係合部８９を下方、第二載置部８８を上方として、前記係合部８９と前記ドリッパー８３の第一係合受部９０と係合させることもできる。後者の場合、前記アタッチメント８４は、前記抽出部８５を上方に拡張することになる。即ち、後者の場合、前記ドリッパー８３の抽出部８５とアタッチメント８４の延長部８７によって、拡張抽出部９２が構成される。そして、前者の場合における前記第二載置部８８の下端から前記抽出部８５の上端までの上下方向距離は、後者の場合における前記第一載置部８６の下端から前記拡張抽出部９２の上端までの上下方向距離と等しい。即ち、前者の場合における前記抽出部８５の上端高さと、後者の場合における拡張抽出部９２の上端高さは等しい。従って、前者の場合における前記注湯手段８から前記抽出部８５上端までの上下方向距離は、後者の場合における前記注湯手段８から前記拡張抽出部９２上端までの上下方向距離と等しく、前記庇部７から抽出部８５までの上下方向距離と、前記庇部７から拡張抽出部９２までの上下方向距離も等しい。
【００９０】
次に、本実施形態の作用について説明する。コーヒー液を小杯数（例えば１〜３杯）抽出する場合、前記アタッチメント８４の第二載置部８８が下方となる姿勢にして、この第二載置部８８を前記サーバー３のサーバー本体９に載置すると共に、前記アタッチメント８４の係合部８９を前記ドリッパー８３の第二係合受部９１と係合させることで、前記アタッチメント８４の上方に前記ドリッパー８３をセットする。そして、前記抽出部８５に応じたサイズの図示しないフィルターを前記ドリッパー８３の抽出部８５にセットし、杯数に応じたコーヒー粉を前記フィルター内に入れた後、前記ドリッパー８３を載置した前記サーバー３を前記基部６に載置する。なお、前記コーヒーメーカー８１がコーヒーミルを有する形式の場合、前記ドリッパー８３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００９１】
コーヒー液を大杯数（例えば４〜６杯）抽出する場合、前記ドリッパー８３の第一載置部８８を前記サーバー３のサーバー本体９に載置すると共に、前記アタッチメント８４の係合部８９が下方となる姿勢にして、この係合部８９を前記ドリッパー８３の第一係合受部９０と係合させることで、前記ドリッパー８３の上方に前記アタッチメント８４をセットする。このようにすることで、前記アタッチメント８４の延長部８７によって、前記ドリッパー８３の抽出部８５が上方に拡張され、前記拡張抽出部９２が形成される。そして、この拡張抽出部９２に応じたサイズの図示しないフィルターを前記拡張抽出部９２にセットし、杯数に応じたコーヒー粉を前記フィルター内に入れた後、前記ドリッパー８３及びアタッチメント８４を載置した前記サーバー３を前記基部６に載置する。なお、前記コーヒーメーカー８１がコーヒーミルを有する形式の場合、前記ドリッパー８３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【００９２】
なお、図１３に示されるような、前記アタッチメント８４が前記ドリッパー８３の下に取り付けられる場合における、前記注湯手段８から前記ドリッパー８３の抽出部８５までの上下方向距離と、図１４に示されるような、前記アタッチメント８４が前記ドリッパー８３の上に取り付けられる場合における、前記注湯手段８から前記拡張抽出部９２までの上下方向距離とが等しくされることで、前者の場合における前記注湯手段８とドリッパー８３の抽出部８５との位置関係と、後者の場合における前記注湯手段８と拡張抽出部９２との位置関係が略同一となる。このため、前記ドリッパー８３のみを用いる場合と、前記ドリッパー８３とアタッチメント９４とで拡張抽出部９２を構成する場合とで、注がれる湯の落下位置や温度低下が略等しくなるので、同様且つ良好にコーヒー液を抽出することができる。
【００９３】
以上のように本発明は、コーヒーメーカー本体２と、サーバー３と、このサーバー３の上方に配置されるドリッパー手段８２とを有し、前記コーヒーメーカー本体２の庇部７に設けられた注湯手段８により前記ドリッパー手段８２の上方から湯を注ぐことで、このドリッパー手段８２内のコーヒー粉からコーヒー液を抽出するコーヒーメーカー８１であって、前記ドリッパー手段８２が、ドリッパー８３と、このドリッパー８３の抽出部８５の上端部から上方に延長される着脱可能なアタッチメント８４とを有し、前記ドリッパー８３が、前記抽出部８５と、前記サーバー３上に載置するためのフランジ状の第一載置部８６とを有し、前記アタッチメント８４が、前記抽出部８５を延長する延長部８７と、この延長部８７の一方側から側方にフランジ状に伸びる第二載置部８８と、前記延長部８７の他方側に設けられる係合部８９とを有すると共に、この係合部８９と択一的に係合する第一係合受部９０を前記抽出部８５の上部に設け、係合部８９と択一的に係合する第二係合受部９１を前記第一載置部８６の下部に設けることで、前記ドリッパー８３を用いる場合の前記注湯手段８からドリッパー８３の抽出部８５までの上下方向距離を適正にして、小杯数抽出時のコーヒー抽出を良好に行うことができるものである。
【００９４】
また本発明は、前記第一載置部８６が前記サーバー３上に載置された場合における前記注湯手段８から前記アタッチメント８４の上端までの上下方向距離が、前記第二載置部８８が前記サーバー３上に載置された場合における前記注湯手段８から前記抽出部８５の上端部までの上下方向距離と等しくなることで、小杯数抽出時も大杯数抽出時も同様にコーヒー抽出を良好に行うことができるものである。
【００９５】
次に、本発明の第八の実施形態について、図１７及び図１８に基づいて説明する。なお、本実施形態においても、各図の上下を実際の上下と規定する。１０１は本発明のコーヒーメーカーである。このコーヒーメーカー１０１は、コーヒーメーカー本体２と、サーバー手段１０２と、ドリッパー手段５３とを有する。
【００９６】
前記コーヒーメーカー本体２は、立設部５と、基部６と、庇部７とを有する。前記基部６には、前記サーバー手段１０２が載置される。また、前記庇部７の下部には、注湯手段８が配置される。なお、この注湯手段８と前記庇部７の上下方向の位置関係は固定されている。
【００９７】
前記サーバー手段１０２としては、図１７に示すように、小杯数用（例えば１〜３杯抽出用）の第一サーバー１０３、又は図１８に示すように、大杯数用（例えば４〜６杯抽出用）の第二サーバー１０４が、前記コーヒーメーカー本体２の基部６上に載置される。前記第一サーバー１０３は、有底で且つ上方が開放したサーバー本体１０５と、このサーバー本体１０５の側方に設けられる把手１０６とを有する。同様に、前記第二サーバー１０４は、有底で且つ上方が開放したサーバー本体１０７と、このサーバー本体１０７の側方に設けられる把手１０８とを有する。なお、前記各サーバー本体１０５，１０７は、ガラス容器やステンレス真空二重容器等が用いられる。
【００９８】
前記ドリッパー手段５３としては、図１７に示すように、小杯数抽出用（例えば１〜３杯抽出用）の第一ドリッパー２３が、前記第一サーバー１０３のサーバー本体１０５上に載置されるか、又は図１８に示すように、大杯数抽出用（例えば４〜６杯抽出用）の第二ドリッパー１２が、前記第二サーバー１０４のサーバー本体１０７上に載置される。前記第一ドリッパー２３は、下方が細くなるように形成される抽出部２４と、この抽出部２４の下部に設けられるフランジ状の載置部２５とを有する。一方、前記第二ドリッパー１２は、下方が細くなるように形成される抽出部１６と、この抽出部１６の下方に設けられるフランジ状の載置部１７とを有する。なお、前記第一ドリッパー２３の抽出部２４は、前記第二ドリッパー１２の抽出部１６よりも小さく形成される。また、前記第一ドリッパー２３を前記第一サーバー１０３のサーバー本体１０５上に載置した場合における、前記抽出部２４の上端から前記サーバー本体１０５の下端までの上下方向距離は、第二ドリッパー１２を前記第二サーバー１０４のサーバー本体１０７上に載置した場合における、前記抽出部１６の上端から前記サーバー本体１０７の下端までの上下方向距離と同じである。即ち、前者の状態の第一ドリッパー２３と第一サーバー１０３を前記コーヒーメーカー本体２の基部６に載置した場合における、前記第一ドリッパー２３の抽出部２４の上端高さは、後者の状態の第二ドリッパー１２と前記第二サーバー１０４を前記コーヒーメーカー本体２の基部６に載置した場合における、前記第二ドリッパー１２の抽出部１６の上端高さと同じである。従って、前記注湯手段８から第一ドリッパー２３の抽出部２４までの上下方向距離と、前記注湯手段８から第二ドリッパー１２の抽出部１６までの上下方向距離が等しく、前記庇部７から抽出部２４までの距離と、前記庇部７から抽出部１６までの上下方向距離も等しい。
【００９９】
次に、本実施形態の作用について説明する。コーヒー液を小杯数（例えば１〜３杯）抽出する場合、前記第一ドリッパー２３を前記第一サーバー１０３に載せ、前記抽出部２４に応じたサイズの図示しないフィルターを前記抽出部２４にセットし、杯数に応じたコーヒー粉を前記フィルター内に入れた後、前記第一ドリッパー２３が載せられた第一サーバー１０３を前記コーヒーメーカー本体２の基部６に載置する。なお、前記コーヒーメーカー１０１がコーヒーミルを有する形式の場合、前記第一ドリッパー２３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【０１００】
コーヒー液を大杯数（例えば４〜６杯）抽出する場合、前記第二ドリッパー１２を前記第二サーバー１０４に載せ、前記抽出部１６に応じたサイズの図示しないフィルターを前記抽出部１６にセットし、杯数に応じたコーヒー粉を前記フィルター内に入れた後、前記第二ドリッパー１２が載せられた第二サーバー１０４を前記コーヒーメーカー本体２の基部６に載置する。なお、前記コーヒーメーカー１０１がコーヒーミルを有する形式の場合、前記第二ドリッパー１２を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【０１０１】
なお、前記第一ドリッパー２３と第一サーバー１０３の組み合わせによる前記注湯手段８から第一ドリッパー２３の抽出部２４までの上下方向距離と、前記第二ドリッパー１２と第二サーバー１０４の組み合わせによる前記注湯手段８から第二ドリッパー１２の抽出部１６までの上下方向距離が等しくされることで、前記注湯手段８と第一ドリッパー２３の位置関係と、前記注湯手段８と第二ドリッパー１２の位置関係が略同一となる。このため、前記第一ドリッパー２３を用いる場合と、第二ドリッパー１２を用いる場合とで、注がれる湯の落下位置や温度低下が略等しくなるので、同様且つ良好にコーヒー液を抽出することができる。また、本実施形態の場合、前記庇部７から第一ドリッパー２３までの上下方向距離と、前記庇部７から第二ドリッパー１２までの上下方向距離が等しいので、前記コーヒーメーカー１０１がコーヒーミルを有する形式の場合であっても、前記第二ドリッパー１２が用いられる場合と同様に、前記第一ドリッパー２３が用いられる場合も、コーヒー粉が前記庇部７との間から漏れにくくすることができる。
【０１０２】
以上のように本発明は、コーヒーメーカー本体２と、サーバー手段１０２と、このサーバー手段１０２上に配置されるドリッパー手段５３とを有し、前記コーヒーメーカー本体２の庇部７に設けられた注湯手段８により前記ドリッパー手段５３の上方から湯を注ぐことで、このドリッパー手段５３内のコーヒー粉からコーヒー液を抽出するコーヒーメーカー１０１であって、前記サーバー手段１０２が、小杯数用の第一サーバー１０３と大杯数用の第二サーバー１０４を有し、前記ドリッパー手段５３が、小杯数用の第一ドリッパー２３と大杯数用の第二ドリッパー１２とを有し、各ドリッパー２３，１２がそれぞれ抽出部２４，１６を有し、前記第一ドリッパー２３が前記第一サーバー１０３上に載置するための載置部２５を有し、前記第二ドリッパー１２が前記第二サーバー１０４上に載置するための載置部１７を有すると共に、前記第一サーバー１０３の高さを第二サーバー１０４の高さよりも高くしたことで、前記第一ドリッパー２３を用いる場合の前記注湯手段８から第一ドリッパー２３までの距離を適正にして、小杯数抽出時のコーヒー抽出を良好に行うことができるものである。
【０１０３】
また本発明は、前記第一ドリッパー２３が第一サーバー１０３に載置された状態における前記注湯手段８から前記第一ドリッパー２３までの上下方向距離と、前記第二ドリッパー１２が第二サーバー１０４に載置された状態における前記注湯手段８から前記第二ドリッパー１２までの上下方向距離とを等しくしたことにより、小杯数抽出時も大杯数抽出時も同様にコーヒー抽出を良好に行うことができるものである。
【０１０４】
次に、本発明の第九の実施形態について、図１９乃至図２１に基づいて説明する。なお、本実施形態においても、各図の上下を実際の上下と規定する。１１１は本発明のコーヒーメーカーである。このコーヒーメーカー１１１は、コーヒーメーカー本体２と、サーバー３と、ドリッパー手段１１２とを有する。
【０１０５】
前記コーヒーメーカー本体２は、立設部５と、基部６と、庇部７とを有する。前記基部６には、前記サーバー３が載置される。また、前記庇部７の下部には、注湯手段８が配置される。なお、この注湯手段８と前記庇部７の上下方向の位置関係は固定されている。
【０１０６】
前記サーバー３は、有底で且つ上方が開放したサーバー本体９と、このサーバー本体９の側方に設けられる把手１０とを有する。なお、前記サーバー本体９は、ガラス容器やステンレス真空二重容器等が用いられる。
【０１０７】
前記ドリッパー手段１１２は、小杯数抽出用（例えば１〜３杯抽出用）の第一ドリッパー１１３と、大杯数抽出用（例えば４〜６杯抽出用）の第二ドリッパー１１４を有する。前記第一ドリッパー１１３は、下方が細くなるように形成される抽出部１１５と、この抽出部１１５の上端部に設けられるフランジ状の掛部１１６とを有する。一方、前記第二ドリッパー１１４は、下方が細くなるように形成される抽出部１１７と、この抽出部１１７の下方に設けられるフランジ状の載置部１１８と、前記第一ドリッパー１１３の掛部１１６を受けるための受部１１９とを有する。この受部１１９は、前記抽出部１１７の上端部に設けられる。なお、前記第一ドリッパー１１３の抽出部１１５は、前記第二ドリッパー１１４の抽出部１１７よりも小さく形成される。また、前記第一ドリッパー１１３は、その掛部１１６を前記受部１１９に掛けることで、前記第二ドリッパー１１４の抽出部１１７内に装着可能に構成される。このように、前記第一ドリッパー１１３を第二ドリッパー１１４に装着した場合、この第二ドリッパー１１４は前記第一ドリッパー１１３の高さ調整部１２０となる。そして、前記第二ドリッパー１１４に装着された前記第一ドリッパー１１３上端は、前記第二ドリッパー１１４上端と高さが等しい。即ち、前記ドリッパー手段１１２が載置された前記サーバー３を前記基部６に載置した状態において、前記注湯手段８から第一ドリッパー１１３の抽出部１１５までの上下方向距離と、前記注湯手段８から第二ドリッパー１１４の抽出部１１７までの上下方向距離が等しく、前記庇部７から抽出部１１５までの上下方向距離と、前記庇部７から抽出部１１７までの上下方向距離も等しい。
【０１０８】
次に、本実施形態の作用について説明する。コーヒー液を小杯数（例えば１〜３杯）抽出する場合、前記第二ドリッパー１１４を前記サーバー３に載せた後、前記第二ドリッパー１１４に前記第一ドリッパー１１３を装着する。この場合、前記第二ドリッパー１１４は前記第一ドリッパー１１３の高さ調整部１２０となる。また、前記第一ドリッパー１１３は、その掛部１１６を前記第二ドリッパー１１４（高さ調整部１２０）の受部１１９に掛けることで、前記第二ドリッパー１１４（高さ調整部１２０）に装着される。そして、前記抽出部１１５に応じたサイズの図示しないフィルターを前記抽出部１１５にセットし、杯数に応じたコーヒー粉を前記フィルター内に入れた後、前記第一ドリッパー１１３及び第二ドリッパー１１４（高さ調整部１２０）が載せられたサーバー３を前記コーヒーメーカー本体２の基部６に載置する。なお、前記コーヒーメーカー１１１がコーヒーミルを有する形式の場合、前記第一ドリッパー１１３を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【０１０９】
コーヒー液を大杯数（例えば４〜６杯）抽出する場合、前記第二ドリッパー１１４を前記サーバー３に載せ、前記抽出部１１７に応じたサイズの図示しないフィルターを前記抽出部１１７にセットし、杯数に応じたコーヒー粉を前記フィルター内に入れた後、前記第二ドリッパー１１４が載せられたサーバー３を前記コーヒーメーカー本体２の基部６に載置する。この場合、前記第二ドリッパー１１４は、本来の機能通りのドリッパーである。なお、前記コーヒーメーカー１１１がコーヒーミルを有する形式の場合、前記第二ドリッパー１１４を前記コーヒーメーカー本体２にセットした後、コーヒーミルによって粉砕されたコーヒー粉が前記フィルター内に送られて貯められる。そして、前記フィルター内のコーヒー粉に、抽出する杯数に応じた湯が前記注湯手段８から注がれる。これによって、前記コーヒー粉から所定の杯数のコーヒー液が抽出される。
【０１１０】
なお、前記高さ調整部１２０である第二ドリッパー１１４に前記第一ドリッパー１１３を装着した場合、この第一ドリッパー１１３の抽出部１１５上端と前記第二ドリッパー１１４の抽出部１１７上端が同じ高さであることによって、前記注湯手段８から第一ドリッパー１１３までの上下方向距離と、前記注湯手段８から第二ドリッパー１１４までの上下方向距離が等しくなる。これによって、前記注湯手段８と第一ドリッパー１１３の抽出部１１５との位置関係と、前記注湯手段８と第二ドリッパー１１４の抽出部１１７との位置関係が略同一となる。このため、前記第一ドリッパー１１３を用いる場合と、第二ドリッパー１１４を用いる場合とで、注がれる湯の落下位置や温度低下が略等しくなるので、同様且つ良好にコーヒー液を抽出することができる。また、本実施形態の場合、前記庇部７から第一ドリッパー１１３の抽出部１１５までの上下方向距離と、前記庇部７から第二ドリッパー１１４の抽出部１１７までの上下方向距離が等しいので、前記コーヒーメーカー１１１がコーヒーミルを有する形式の場合であっても、前記第二ドリッパー１１４が用いられる場合と同様に、前記第一ドリッパー１１３が用いられる場合も、コーヒー粉が前記庇部７との間から漏れにくくすることができる。
【０１１１】
以上のように本発明は、コーヒーメーカー本体２と、サーバー３と、このサーバー３の上方に配置されるドリッパー手段１１２とを有し、前記コーヒーメーカー本体２の庇部７に設けられた注湯手段８により前記ドリッパー手段１１２の上方から湯を注ぐことで、このドリッパー手段１１２内のコーヒー粉からコーヒー液を抽出するコーヒーメーカー１１１であって、前記ドリッパー手段１１２が、小杯数用の第一ドリッパー１１３と大杯数用の第二ドリッパー１１４とを有し、各ドリッパー１１３，１１４がそれぞれ、抽出部１１５，１１７を有すると共に、前記第一ドリッパー１１３の高さ調整部１２０を兼ねる前記第二ドリッパー１１４を有することで、前記第一ドリッパー１１３を用いる場合の前記注湯手段８から第一ドリッパー１１３までの上下方向距離を適正にして、小杯数抽出時のコーヒー抽出を良好に行うことができるものである。
【０１１２】
また本発明は、前記第一ドリッパー１１３及び高さ調整部１２０としての第二ドリッパー１１４、又は本来のドリッパーとしての前記第二ドリッパー１１４が前記サーバー３上に載置された際に、前記注湯手段８から前記第一ドリッパー１１３までの上下方向距離と前記注湯手段８から第二ドリッパー１１４までの上下方向距離が等しくなることにより、小杯数抽出時も大杯数抽出時も同様にコーヒー抽出を良好に行うことができるものである。
【０１１３】
なお、本発明は以上の実施形態に限定されるものではなく、発明の要旨の範囲内で種々の変形実施が可能である。例えば、上記各実施形態は、サーバーがコーヒーメーカー本体の基部に載置されるが、サーバーがテーブル等に置かれた状態で抽出するような形式のコーヒーメーカーにも適用できる。また、上記各実施形態では、ドリッパーを小杯数用と大杯数用の二種類設けたが、小杯数用、中杯数用、大杯数用の三種類設けたり、杯数分の種類設けたりしてもよい。同様に、第八の実施形態において、サーバーを三種類以上設けてもよい。更に、第一〜第三、第六、第七、第九の実施形態において、ドリッパー手段をサーバー上に載置したが、これらの実施形態においてドリッパー手段をコーヒーメーカー本体に設けられた載置用の要素に載置してもよい。
【符号の説明】
【０１１４】
１，２１，３１，５１，６１，７１，８１，１０１，１１１  コーヒーメーカー
２，５２，６２，７２  コーヒーメーカー本体
３  サーバー
４，２２，３２，５３，８２，１１２  ドリッパー手段
８  注湯手段
１１，２３，３３，１１３  第一ドリッパー
１２，３４，１１４  第二ドリッパー
１３，２４，３６，１１５  第一ドリッパーの抽出部
１４，２６，１２０  高さ調整部
１５，２５  第一ドリッパーの載置部
１６，３８，１１７  第二ドリッパーの抽出部
１７，１１８  第二ドリッパーの載置部
３５  支持手段
３７，１１６  第一ドリッパーの掛部
３９  第二ドリッパーの掛部
４０  載置部
４１  支持部
５４，６３，７３  高さ調整手段
８３  ドリッパー
８４  アタッチメント
８５  抽出部
８６  第一載置部
８７  延長部
８８  第二載置部
８９  係合部
９０  第一係合受部
９１  第二係合受部
１０２  サーバー手段
１０３  第一サーバー
１０４  第二サーバー
【図１】
2020182666.tif 000003
【図２】
2020182666.tif 000004
【図３】
2020182666.tif 000005
【図４】
2020182666.tif 000006
【図５】
2020182666.tif 000007
【図６】
2020182666.tif 000008
【図７】
2020182666.tif 000009
【図８】
2020182666.tif 000010
【図９】
2020182666.tif 000011
【図１０】
2020182666.tif 000012
【図１１】
2020182666.tif 000013
【図１２】
2020182666.tif 000014
【図１３】
2020182666.tif 000015
【図１４】
2020182666.tif 000016
【図１５】
2020182666.tif 000017
【図１６】
2020182666.tif 000018
【図１７】
2020182666.tif 000019
【図１８】
2020182666.tif 000020
【図１９】
2020182666.tif 000021
【図２０】
2020182666.tif 000022
【図２１】
2020182666.tif 000023